(57)【要約】【課題】スイッチ装置を提供する。【解決手段】スイッチ装置は、スイッチ及び作動素子を含む。スイッチ用の作動素子は、Ｕ字形の作動区分を含む。作動区分は、長さが異なる２つの別のアームを含む。長いアームは、力をスイッチのボタンに伝達するように構成され、長いアームの自由端は、作動素子を保持するように構成される。短いアームは、力を入力するように構成され、長いアームに対して斜めに整列して配置される。【選択図】図１
2018101616.tif 000002
【特許請求の範囲】
【請求項１】
スイッチ装置であって、
スイッチであって、そのハウジングから押しボタンが突出し、押圧されて前記スイッチを起動するように構成されたスイッチと、
前記スイッチ上に配置され、力が加わると前記スイッチの前記押しボタンを動作させる弾性の作動素子と、
前記作動素子は、Ｕ字形の外形として配置され、長さが異なる２つの別のアームを備え、長いアームは、前記スイッチの前記押しボタンに力を伝達するように構成され、前記長いアームの自由端は、前記作動素子を保持するために構成されることと、
短いアームは、前記力を入力するように構成され、前記長いアームに対して斜めに整列して配置されることと、を特徴とするスイッチ装置。
【請求項２】
前記短いアームは、その自由端に前記長いアームに対面する湾曲部を備え、前記作動素子の休止位置において、前記短いアームの前記湾曲部は前記長いアームに接触しない、請求項１に記載のスイッチ装置。
【請求項３】
支持部分を備えた前記長いアームの自由端には両側に分岐部がそれぞれ配置され、前記スイッチの前記ハウジング上に、前記作動素子を保持するために回し支持部分が相応して形成される、請求項１に記載のスイッチ装置。
【請求項４】
前記支持部分は円形開口部であり、前記回し支持部分は円柱であり、前記支持部分は、前記回し支持部分上に回転可能にスリーブ嵌合される、請求項３に記載のスイッチ装置。
【請求項５】
前記長いアームの前記自由端に戻しアームが配置される、請求項１に記載のスイッチ装置。
【請求項６】
前記ハウジング上には、前記戻しアームを収容するために収容溝が配置される、請求項５に記載のスイッチ装置。
【請求項７】
前記戻しアームは、前記スイッチの前記スイッチハウジングと一体に形成される、請求項５に記載のスイッチ装置。
【請求項８】
前記長いアームの中央領域上に湾曲部が形成され、前記短いアームの前記湾曲部の下方に配置され、前記長いアームの前記湾曲部には、前記長いアーム上に段部が形成される、請求項２に記載のスイッチ装置。
【請求項９】
前記短いアームの前記湾曲部の角度は、前記長いレッグの前記湾曲部の角度以下ある、請求項８に記載のスイッチ装置。
【請求項１０】
前記作動素子は、金属薄板又はプラスチックで形成される、請求項１に記載のスイッチ装置。
【請求項１１】
前記長いアームの前記自由端は、前記スイッチに取り付けて前記作動素子を保持する、請求項１に記載のスイッチ装置。
【請求項１２】
前記長いアームの前記自由端は、前記スイッチの周りに取り付け、前記スイッチとは別個に配置された前記作動素子を保持する、請求項１に記載のスイッチ装置。
【発明の詳細な説明】
【技術分野】
【０００１】
[0001]  本開示は、追加的な作動素子を用いて、押しボタンによって作動されるスイッチを備える、スイッチ装置に関する。
【背景技術】
【０００２】
[0002]  追加的な作動素子を備えたスイッチ装置は既に公知である。これらの追加的な作動素子により、スイッチの使用を、装置の異なる条件に、特に異なる作動力及び切換経路に適応させることが可能となる。いくつかの長い切換経路及び様々な高い作動力への適応に加えて、異なる作用方向からの力に対して適応することが望まれる。
【図面の簡単な説明】
【０００３】
【図１】発明によるスイッチ装置の斜視図である。
【図２】作動素子を備えた図１のスイッチ装置の斜視図である。
【図３】作用部材を追加的に備えた図１のスイッチ装置の配置の斜視図である。
【図４】つめを追加的に備えた図１のスイッチ装置の配置の斜視図である。
【図５】図１のスイッチ装置の配置の平面図である。
【０００４】
[0008]  以下に続く実施は、上記各図と併せて本開示の説明に使用される。
【発明を実施するための形態】
【０００５】
[0009]  以後、本開示の実施形態における技術的解決法が、本開示の実施形態において、添付図面と併せて明確かつ完全に説明される。説明した実施形態は、本開示の実施形態の全てではなく、ほんの一部に過ぎないことは明らかである。本開示の実施形態に基づき、当業者によって創造的作業なしに得られる他の全ての実施形態は、本開示の保護範囲内に属する。図面は、単に参考及び説明を提供するためであり、本開示を限定しないことを理解されたい。図面で表した接続部は、単に説明の明確性のためであり、接続様式を限定しない。
【０００６】
[0010]  ある構成部品が別の構成部品に「固定された」と説明するとき、それは、別の構成部品に直接接続することができ、又は同時に中間の構成部品が存在できることにも注意されたい。本明細書における全ての技術用語及び科学用語は、別段の定めがない限り、当業者によって通常理解されるのと同じ意味を有する。本開示で用いる用語は、単に具体的な実施形態を説明するためであり、発明を限定しない。
【０００７】
[0011]  本開示の１つの実施形態によるスイッチ装置が図１に示される。少なくとも１つの実施形態では、スイッチ装置は、スイッチ１０及び立方形のスイッチハウジング１２を備える。スイッチ１０の頂板から押しボタン１１が突出している。押しボタン１１は、図１に示す矢印の方向に沿って押圧され、ハウジング１２内でスイッチ接触を起動するように構成される。少なくとも１つの実施形態では、スイッチ１０はマイクロスイッチである。
【０００８】
[0012]  スイッチ装置は追加的な作動素子２０をさらに備える。作動素子２０は、スイッチ１０の頂板に沿って延び、押しボタン１１に対向して配置される。作動素子２０はばねのような動く部分である。取り付けのために、ハウジング１２の一側壁の左側に回し支持部分１４が形成され、作動素子２０を回し可能に支持する。作動素子２０の端側面上に、図面の左側面に支持部分２６が形成された状態で、回し支持部分１４は、弾性の板部材で形成された作動素子２０を回し可能に支持し、結果として支持部分２６は、回し支持部分１４で支持される。少なくとも１つの実施形態では、支持部分２６は丸い開口部であり、回し支持部分１４は円柱であり、支持部分２６は、回し支持部分１４上に回転可能にスリーブ嵌合される。
【０００９】
[0013]  作動素子２０は、図２に示すようなＵ字形の外形として配置され、２つのアーム２１及び２２を備える。長いアーム２１の中央領域上に湾曲部２３が形成され、支持部分２６に延びている。長いアーム２１の自由端には両側に分岐部２５がそれぞれ配置される。長いアームの自由端には戻しアーム２７も配置される。戻しアーム２７は、長いアーム２１に対して実質的に直角に湾曲しており、その結果作動素子２０は、付勢された後に弾力的に戻ることができ、ボタン１１が再び解放される。図５に示すように、戻しアーム２７は、ハウジング１２の収容溝１３に収容されて制動部分２０を固定する。確実な固定のために、この領域の戻しアーム２７は、フラグの形に仕立てられ、フラグと一緒に収容スロット１３内に載っている。
【００１０】
[0014]  作動素子２０の長いアーム２１は、押しボタン１１に力を伝達するように構成される。長いアーム２１は、スイッチ１０の押しボタン１１に押し当てられ、力が加わると、押しボタン１１をその作動方向に沿って押圧してスイッチ１０のハウジング１２内に至らせ、押圧されてスイッチ接触を起動する。作動素子２０の短いアーム２２に外力が作用し、すなわち、力は短いアーム２２に加わる。少なくとも１つの実施形態では、図３で最も分かるように、短いアーム２２は、長いアーム２１に対して斜めに整列している。この向きによって、作用部材３０’は、その当接側３１’を短いアーム２２に押し付けて移動するとき、この短いアーム２２に力Ｆ２を及ぼすことができる。
【００１１】
[0015]  少なくとも１つの実施形態では、短いアーム２２の自由端に湾曲部２４が配置され、結果として湾曲部２４と短いレッグ２２との間に鈍角αが形成され、この実施形態では湾曲部の湾曲角は１３５°である。湾曲部２４は、スイッチ１０の他側にある作用部材３０からスイッチ１０に力Ｆ１が作用できる向きとされ、その理由は、力Ｆ１は、作用部材３０の当接側３１で、作動素子２０内に導入された短いアーム２２の湾曲部２４に接触するからである。さらに、力は、上方から直線状に又は作用部材から傾けることができる。
【００１２】
[0016]  図４を一緒に参照されたい。図４には、別の作動素子３０”が示される。この実施形態では、作動素子３０”はロックシステムのつめである。作動素子３０”は当接側３１を備え、当接側３１”は、少なくとも１つの実施形態では、短いアーム２２の湾曲部２４に回転作動力Ｆ３を加えることができる。この回転作動力は、反対の回転方向にもかける得ることを理解されたい。
【００１３】
[0017]  このように、この新しいスイッチ装置を用いれば、可変的に展開可能なスイッチ１０が得られ、それは、電気装置に異なる向きに設置することができ、その理由は、直線力Ｆ１、Ｆ２及び回転力Ｆ３の両方が発生可能なためである。少なくとも１つの実施形態では、追加的な作動素子２０は、この場合デザインが非常に小型である。作動素子２０は、ほとんどスイッチ１０の影に位置し、このスイッチ１０を越えて広がらない。過度のストロークは短いアーム２２によって遮られる。これは、長いアーム２１上に段部を形成するように、短いアーム２２の湾曲部２４の下方に長いアーム２１の湾曲部２３を配置する事実によってさらに助ける。湾曲部２３は、短いアーム２２の湾曲部２４の曲率の角度αよりも大きい又は同じ曲率の角度βであることが好ましく、その結果、短いアーム２２は、過度のストローク時に、長いレッグ２１の方向でスイッチ１０の接触システムの切換点を越えて低下することができ、スイッチ装置の寿命を延ばす。
【００１４】
[0018]  さらに、図２に示すように、長いアーム２１の分岐部２５の下側に支持点２８が設けられる。作動部分２０に力を加えた場合、作動素子２０は、支持部分２６の周りにわずかに旋回し、それ以後、支持点２８を持つ長いアーム２１は、スイッチハウジング１２の頂板で支持される。
【００１５】
[0019]  少なくとも１つの実施形態では、作動素子２０は、金属薄板から形成される。しかしながら、プラスチックのような他の板ばね材料も可能である。
【００１６】
[0020]  この発明によるスイッチ装置は、かさばる追加的な動作レバーなくして、大きな作動経路に適応することができる。さらに、異なる作用方向からの作動力は、作動素子を変更することなく、スイッチ装置によって吸収することができる。
【００１７】
[0021]  本実施形態では、短いレッグの湾曲部は、長いレッグに接触し又は長いレッグに所定のそれ部から接触するようにできる。その結果、ばね特性は、それに応じて影響されることができる。
【００１８】
[0022]  本実施形態では、作動素子２０は、ハウジング１２に取り付けることが好ましい。他の実施形態では、作動素子２０は、装置にスイッチ１０の周りに取り付けることができる。作動素子２０は、異なる配置でスイッチ１０と協働するように適応した形状にすることを理解されたい。
【００１９】
[0023]  本実施形態では、ハウジング１２の収容溝１３に戻しアーム２７が収容されて、作動素子２０を固定する。他の実施形態では、戻しアーム２７は、接着剤又はスイッチ１０のハウジング１２に接続されたリベットによって固定することができ、或いはスイッチ１０のハウジングと一体に形成することができる。
【００２０】
[0024]  本発明は、１つ以上の実施形態を参照して説明したが、実施形態の上記説明は、当業者が発明を実行し又は使用することを可能にするためだけに使用される。当業者であれば、本発明の趣旨又は範囲から逸脱することなく、様々な修正が可能であることを理解されたい。本明細書に例示された実施形態は、本発明の限定であると解釈すべきでなく、本発明の範囲は、以下に続く請求項を参照することによって決定されるものである。
【００２１】
[0025]  本開示の望ましい実施形態を上述したが、それらは、本開示を限定することは意図しない。本開示の精神及び原理の範囲における全ての修正、均等な置換及び改善は、本開示の保護範囲にある。
【符号の説明】
【００２２】
１０  スイッチ
１１  押しボタン
１２  ハウジング
１４  回し支持部分
２６  支持部分
２７  戻しアーム
【図１】
2018101616.tif 000003
【図２】
2018101616.tif 000004
【図３】
2018101616.tif 000005
【図４】
2018101616.tif 000006
【図５】
2018101616.tif 000007
【外国語明細書】
2018101616000001.pdf